(57)【要約】      （修正有）【課題】基地局は、各ユーザの比較的精確なチャネル品質指示（ＣＱＩ）情報を取得することにより、精確な変調符号化方式を選択してシステムのスループットを向上させる。【解決手段】ユーザ機器（ＵＥ）が、チャネル推定を行った後、量子化後のチャネル情報、量子化誤差、セル間干渉電力および雑音電力を、基地局にフィードバックし、基地局が、各ＵＥからフィードバックされた量子化後のチャネル情報、量子化誤差、セル間干渉電力および雑音電力、並びに、瞬時プリコーディングベクトル（行列）に従って、各ＵＥに対応するＣＱＩをそれぞれ推定して、各ＵＥに対応するＣＱＩ推定値を得る。【選択図】図１
2011035912.tif 000002
【特許請求の範囲】
【請求項１】
チャネル品質指示（ＣＱＩ）情報を取得する方法であって、
ＵＥが、チャネル推定を行った後、量子化後のチャネル情報、量子化誤差、セル間干渉電力および雑音電力を、基地局にフィードバックし、
基地局が、各ＵＥからフィードバックされた量子化後のチャネル情報、量子化誤差、セル間干渉電力および雑音電力、並びに、瞬時プリコーディングベクトルに従って、各ＵＥに対応するＣＱＩをそれぞれ推定して、各ＵＥに対応するＣＱＩ推定値を得る、
ことを含むことを特徴とする方法。
【請求項２】
ＵＥは、上り制御チャネルまたは上り共有チャネルにより、前記量子化後のチャネル情報、量子化誤差、セル間干渉電力および雑音電力を、基地局にフィードバックする、
ことを特徴とする請求項１に記載の方法。
【請求項３】
前記量子化後のチャネル情報は、量子化後のチャネルベクトル（行列）であり、
基地局は、以下の数式に従って、ＵＥのＣＱＩを推定し、
【数１】
2011035912.tif 000078
ここで、
【数２】
2011035912.tif 000079
は、第
【数３】
2011035912.tif 000080
個のＵＥに対応するＣＱＩ推定値を代表し、
【数４】
2011035912.tif 000081
は、第
【数５】
2011035912.tif 000082
個のＵＥの量子化後のチャネルを代表し、
【数６】
2011035912.tif 000083
は、第
【数７】
2011035912.tif 000084
個のＵＥのプリコーディングベクトル（行列）を代表し、
【数８】
2011035912.tif 000085
は、第
【数９】
2011035912.tif 000086
個のＵＥからフィードバックされたセル間干渉電力を代表し、
【数１０】
2011035912.tif 000087
は、第
【数１１】
2011035912.tif 000088
個のＵＥからフィードバックされた雑音電力を代表し、
【数１２】
2011035912.tif 000089
は、第
【数１３】
2011035912.tif 000090
個のＵＥからフィードバックされたチャネル量子化誤差角を代表し、
【数１４】
2011035912.tif 000091
は、ＵＥの総数を代表する、
ことを特徴とする請求項１に記載の方法。
【請求項４】
前記量子化後のチャネル情報は、量子化後のチャネルの特異ベクトル（行列）であり、
基地局は、以下の数式に従って、ＵＥのＣＱＩを推定し、
【数１５】
2011035912.tif 000092
ここで、
【数１６】
2011035912.tif 000093
は、第
【数１７】
2011035912.tif 000094
個のＵＥに対応するＣＱＩ推定値を代表し、
【数１８】
2011035912.tif 000095
は、第
【数１９】
2011035912.tif 000096
個のＵＥに対応するチャネル
【数２０】
2011035912.tif 000097
の量子化後の特異ベクトルであり、
【数２１】
2011035912.tif 000098
は、第
【数２２】
2011035912.tif 000099
個のＵＥに対応する特異値であり、
【数２３】
2011035912.tif 000100
は、第
【数２４】
2011035912.tif 000101
個のＵＥのプリコーディングベクトル（行列）を代表し、
【数２５】
2011035912.tif 000102
は、第
【数２６】
2011035912.tif 000103
個のＵＥからフィードバックされたセル間干渉電力を代表し、
【数２７】
2011035912.tif 000104
は、第
【数２８】
2011035912.tif 000105
個のＵＥからフィードバックされた雑音電力を代表し、
【数２９】
2011035912.tif 000106
は、第
【数３０】
2011035912.tif 000107
個のＵＥからフィードバックされたチャネル量子化誤差角を代表し、
【数３１】
2011035912.tif 000108
は、ＵＥの総数を代表する、
ことを特徴とする請求項１記載の方法。
【請求項５】
実際ＣＱＩとその対応するＣＱＩ推定値との統計分布に従って、各ＵＥのＣＱＩ推定値を更新する、
ことをさらに含むことを特徴とする請求項１〜４のいずれか１項に記載の方法。
【請求項６】
各ＵＥのＣＱＩ推定値を更新することは、
実際チャネル情報に従って、実際ＣＱＩとその対応するＣＱＩ推定値との統計分布を生成し、
上記生成した実際ＣＱＩとその対応するＣＱＩ推定値との統計分布に従って、各ＣＱＩ推定値に対応する実際ＣＱＩの累積分布関数をそれぞれ取得し、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得、
ＣＱＩ推定値とそのＣＱＩ更新値との対応関係に従って、各ＵＥに対応するＣＱＩ推定値に対応するＣＱＩ更新値を得る、
ことを含むことを特徴とする請求項５に記載の方法。
【請求項７】
基地局が予め、実際ＣＱＩとその対応するＣＱＩ推定値との統計分布に従って、ＣＱＩ推定値からＣＱＩ更新値への検索テーブルを作成する、ことをさらに含み、
前記ＣＱＩ推定値を更新することは、前記検索テーブルから各ＵＥのＣＱＩ推定値に対応するＣＱＩ更新値を検索する、ことを含む、
ことを特徴とする請求項５に記載の方法。
【請求項８】
ＣＱＩ推定値からＣＱＩ更新値への検索テーブルを作成することは、
実際チャネル情報に従って、実際ＣＱＩとその対応するＣＱＩ推定値との統計分布を生成し、
上記生成した実際ＣＱＩとその対応するＣＱＩ推定値との統計分布に従って、各ＣＱＩ推定値に対応する実際ＣＱＩの累積分布関数をそれぞれ取得し、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得、
ＣＱＩ推定値とそのＣＱＩ更新値との対応関係に従って、前記検索テーブルを作成する、
ことを含むことを特徴とする請求項７に記載の方法。
【請求項９】
前記検索テーブルから各ＵＥのＣＱＩ推定値に対応するＣＱＩ更新値を検索することは、
線形補間法または非線形補間法を採用して、前記検索テーブルから各ＵＥのＣＱＩ推定値に対応するＣＱＩ更新値を検索する、
ことを含むことを特徴とする請求項７に記載の方法。
【請求項１０】
基地局であって、
全てのＵＥからフィードバックされた量子化後のチャネル情報、量子化誤差、セル間干渉電力および雑音電力を受信するチャネル情報受信手段と、
各ＵＥからフィードバックされた量子化後のチャネル情報、量子化誤差、セル間干渉電力および雑音電力、並びに、瞬時プリコーディングベクトルに従って、各ＵＥに対応するＣＱＩをそれぞれ推定して、各ＵＥに対応するＣＱＩ推定値を得るチャネル品質指示（ＣＱＩ）推定手段と、
を含むことを特徴とする基地局。
【請求項１１】
実際ＣＱＩとその対応するＣＱＩ推定値との統計分布に従って、ＣＱＩ更新値を得るＣＱＩ更新手段をさらに含むことを特徴とする請求項１０に記載の基地局。
【請求項１２】
前記ＣＱＩ更新手段は、
実際チャネル情報に従って、実際ＣＱＩとその対応するＣＱＩ推定値との統計分布を生成し、各ＣＱＩ推定値に対応する実際ＣＱＩの累積分布関数をそれぞれ得る統計モジュールと、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得る設定モジュールと、
設定モジュールで設定された、各ＣＱＩ推定値とそのＣＱＩ更新値との対応関係に従って、ＣＱＩ推定手段で出力されたＣＱＩ推定値に対応するＣＱＩ更新値を得るＣＱＩ更新値決定モジュールと、
を含むことを特徴とする請求項１１に記載の基地局。
【請求項１３】
前記ＣＱＩ更新手段は、
実際ＣＱＩとその対応するＣＱＩ推定値との統計分布に従って、ＣＱＩ推定値からＣＱＩ更新値への検索テーブルを作成する検索テーブル作成モジュールと、
前記検索テーブルから、各ＵＥのＣＱＩ推定値に対応するＣＱＩ更新値を検索するＣＱＩ更新値決定モジュールと、
を含むことを特徴とする請求項１１に記載の基地局。
【発明の詳細な説明】
【技術分野】
【０００１】
本発明は、無線通信技術分野に関し、特に、制限フィードバックに基づき、かつ、チャネルに対して量子化フィードバックを行うマルチユーザ多入力多出力（ＭＵ−ＭＩＭＯ）システムにおいて、基地局が各ユーザ機器に対応するチャネル品質指示（ＣＱＩ：Ｃｈａｎｎｅｌ  Ｑｕａｌｉｔｙ  Ｉｎｄｉｃａｔｏｒ）情報を取得する方法、および、該方法を実現する基地局に関する。
【背景技術】
【０００２】
制限フィードバックに基づき、かつ、チャネルに対して量子化フィードバックを行うＭＵ−ＭＩＭＯシステムにおいて、基地局は、マルチユーザスケジューリングを行う過程では、一般的に、まず、ユーザ機器（ＵＥ）からフィードバックされたＣＱＩを受信する必要があり、次に、各ＵＥからフィードバックされたＣＱＩに従って、各ＵＥに対して変調符号化方式（ＭＣＳ：Ｍｏｄｕｌａｔｉｏｎ  ａｎｄ  Ｃｏｄｉｎｇ  Ｓｃｈｅｍｅ）を選択する。各ＵＥのそれぞれは、ほかのＵＥのプリコーディングベクトル（行列）を知らないので、ＣＱＩを計算する過程において、各ＵＥのプリコーディングベクトル（行列）によるマルチユーザ干渉への影響を考慮することができない。従って、各ＵＥから基地局へフィードバックされたＣＱＩが正確ではないことで、基地局は、各ＵＥに対して精確なＭＣＳを選択することができない。
【発明の概要】
【発明が解決しようとする課題】
【０００３】
上記の状況に鑑みてなされて、ＭＵ−ＭＩＭＯシステムにおける基地局が各ＵＥのＣＱＩ情報を如何に精確に得るかが、ＭＵ−ＭＩＭＯシステムにおけるマルチユーザスケジューリングの解決すべき課題の１つである。
【０００４】
上記の技術的課題を解決するために、本発明は、ＣＱＩ情報を取得する方法およびその基地局を提供することで、各ＵＥに対応する精確なＣＱＩ情報を取得する。これにより、各ＵＥに対して精確なＭＣＳを選択し、システムのスループットを向上させる。
【課題を解決するための手段】
【０００５】
本発明の実施例に係る、チャネルＣＱＩ情報を取得する方法は、
ＵＥが、チャネル推定を行った後、量子化後のチャネル情報、量子化誤差、セル間干渉電力および雑音電力を、基地局にフィードバックし、
基地局が、各ＵＥからフィードバックされた量子化後のチャネル情報、量子化誤差、セル間干渉電力および雑音電力、並びに、瞬時プリコーディングベクトルに従って、各ＵＥに対応するＣＱＩをそれぞれ推定して、各ＵＥに対応するＣＱＩ推定値を得る、ことを含む。
【０００６】
ここで、ＵＥは、上り制御チャネルまたは上り共有チャネルにより、前記量子化後のチャネル情報、量子化誤差、セル間干渉電力および雑音電力を、基地局にフィードバックする。
【０００７】
上記量子化後のチャネル情報は、量子化後のチャネルベクトル（行列）であり、基地局は、以下の数式に従って、ＵＥのＣＱＩを推定し、
【数１】
2011035912.tif 000003
【０００８】
ここで、
【数２】
2011035912.tif 000004
【０００９】
は、第
【数３】
2011035912.tif 000005
【００１０】
個のＵＥに対応するＣＱＩ推定値を代表し、
【数４】
2011035912.tif 000006
【００１１】
は、第
【数５】
2011035912.tif 000007
【００１２】
個のＵＥの量子化後のチャネルベクトル（行列）を代表し、
【数６】
2011035912.tif 000008
【００１３】
は、第
【数７】
2011035912.tif 000009
【００１４】
個のＵＥのプリコーディングベクトル（行列）を代表し、
【数８】
2011035912.tif 000010
【００１５】
は、第
【数９】
2011035912.tif 000011
【００１６】
個のＵＥからフィードバックされたセル間干渉電力を代表し、
【数１０】
2011035912.tif 000012
【００１７】
は、第
【数１１】
2011035912.tif 000013
【００１８】
個のＵＥからフィードバックされた雑音電力を代表し、
【数１２】
2011035912.tif 000014
【００１９】
は、第
【数１３】
2011035912.tif 000015
【００２０】
個のＵＥからフィードバックされたチャネル量子化誤差角を代表し、
【数１４】
2011035912.tif 000016
【００２１】
は、ＵＥの総数を代表する。
【００２２】
上記量子化後のチャネル情報は、量子化後のチャネルの特異ベクトル（行列）であり、基地局は、以下の数式に従って、ＵＥのＣＱＩを推定し、
【数１５】
2011035912.tif 000017
【００２３】
ここで、
【数１６】
2011035912.tif 000018
【００２４】
は、第
【数１７】
2011035912.tif 000019
【００２５】
個のＵＥに対応するＣＱＩ推定値を代表し、
【数１８】
2011035912.tif 000020
【００２６】
は、第
【数１９】
2011035912.tif 000021
【００２７】
個のＵＥに対応するチャネルベクトル（行列）
【数２０】
2011035912.tif 000022
【００２８】
の量子化後の特異ベクトルであり、
【数２１】
2011035912.tif 000023
【００２９】
は、第
【数２２】
2011035912.tif 000024
【００３０】
個のＵＥに対応する特異値であり、
【数２３】
2011035912.tif 000025
【００３１】
は、第
【数２４】
2011035912.tif 000026
【００３２】
個のＵＥのプリコーディングベクトル（行列）を代表し、
【数２５】
2011035912.tif 000027
【００３３】
は、第
【数２６】
2011035912.tif 000028
【００３４】
個のＵＥからフィードバックされたセル間干渉電力を代表し、
【数２７】
2011035912.tif 000029
【００３５】
は、第
【数２８】
2011035912.tif 000030
【００３６】
個のＵＥからフィードバックされた雑音電力を代表し、
【数２９】
2011035912.tif 000031
【００３７】
は、第
【数３０】
2011035912.tif 000032
【００３８】
個のＵＥからフィードバックされたチャネル量子化誤差角を代表し、
【数３１】
2011035912.tif 000033
【００３９】
は、ＵＥの総数を代表する。
【００４０】
上記方法は、実際ＣＱＩとその対応するＣＱＩ推定値との統計分布に従って、各ＵＥのＣＱＩ推定値を更新する、ことをさらに含む。
【００４１】
ここで、各ＵＥのＣＱＩ推定値を更新することは、
実際チャネル情報に従って、実際ＣＱＩとその対応するＣＱＩ推定値との統計分布を生成し、
上記生成した実際ＣＱＩとその対応するＣＱＩ推定値との統計分布に従って、各ＣＱＩ推定値に対応する実際ＣＱＩの累積分布関数をそれぞれ取得し、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得、
ＣＱＩ推定値とそのＣＱＩ更新値との対応関係に従って、各ＵＥに対応するＣＱＩ推定値に対応するＣＱＩ更新値を得る、ことを含む。
【００４２】
上記方法は、基地局が予め、実際ＣＱＩとその対応するＣＱＩ推定値との統計分布に従って、ＣＱＩ推定値からＣＱＩ更新値への検索テーブルを作成する、ことをさらに含み、前記ＣＱＩ推定値を更新することは、前記検索テーブルから各ＵＥのＣＱＩ推定値に対応するＣＱＩ更新値を検索する、ことを含む。
【００４３】
ここで、ＣＱＩ推定値からＣＱＩ更新値への検索テーブルを作成することは、
実際チャネル情報に従って、実際ＣＱＩとその対応するＣＱＩ推定値との統計分布を生成し、
上記生成した実際ＣＱＩとその対応するＣＱＩ推定値との統計分布に従って、各ＣＱＩ推定値に対応する実際ＣＱＩの累積分布関数をそれぞれ取得し、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得、
ＣＱＩ推定値とそのＣＱＩ更新値との対応関係に従って、前記検索テーブルを作成する、ことを含む。
【００４４】
前記検索テーブルから各ＵＥのＣＱＩ推定値に対応するＣＱＩ更新値を検索することは、線形補間法または非線形補間法を採用して、前記検索テーブルから各ＵＥのＣＱＩ推定値に対応するＣＱＩ更新値を検索する、ことを含む。
【００４５】
本発明の実施例に係る基地局は、
全てのＵＥからフィードバックされた量子化後のチャネル情報、量子化誤差、セル間干渉電力および雑音電力を受信するチャネル情報受信手段と、
各ＵＥからフィードバックされた量子化後のチャネル情報、量子化誤差、セル間干渉電力および雑音電力、並びに、瞬時プリコーディングベクトルに従って、各ＵＥに対応するＣＱＩをそれぞれ推定して、各ＵＥに対応するＣＱＩ推定値を得るチャネル品質指示（ＣＱＩ）推定手段と、を含む。
【００４６】
上記基地局は、実際ＣＱＩとその対応するＣＱＩ推定値との統計分布に従って、ＣＱＩ更新値を得るＣＱＩ更新手段をさらに含む。
【００４７】
上記ＣＱＩ更新手段は、
実際チャネル情報に従って、実際ＣＱＩとその対応するＣＱＩ推定値との統計分布を生成し、各ＣＱＩ推定値に対応する実際ＣＱＩの累積分布関数をそれぞれ得る統計モジュールと、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得る設定モジュールと、
設定モジュールで設定された、各ＣＱＩ推定値とそのＣＱＩ更新値との対応関係に従って、ＣＱＩ推定手段で出力されたＣＱＩ推定値に対応するＣＱＩ更新値を得るＣＱＩ更新値決定モジュールと、を含んでもよい。
【００４８】
上記ＣＱＩ更新手段は、
実際ＣＱＩとその対応するＣＱＩ推定値との統計分布に従って、ＣＱＩ推定値からＣＱＩ更新値への検索テーブルを作成する検索テーブル作成モジュールと、
前記検索テーブルから、各ＵＥのＣＱＩ推定値に対応するＣＱＩ更新値を検索するＣＱＩ更新値決定モジュールと、を含んでもよい。
【発明の効果】
【００４９】
本発明の実施例により提供された、ＣＱＩを取得する方法およびその基地局では、基地局が、各ＵＥに対応するＣＱＩの推定を完成し、かつ、各ＵＥのＣＱＩを推定する際に、各ＵＥのプリコーディングベクトル（行列）によるマルチユーザ干渉への影響を考慮している。従って、従来の方法と比べて、本発明によって得られたＣＱＩ推定値は、各ＵＥの実際ＣＱＩにさらに近づく。こうすれば、後続の応用では、基地局が、実際ＣＱＩに近づくＣＱＩ推定値を使用して、各ＵＥに対して、精確なＭＣＳを選択することができ、システムのスループットを向上させる。
【図面の簡単な説明】
【００５０】
【図１】本発明の実施例に係るＣＱＩ情報を取得する方法のフローチャートである。
【図２】実際ＣＱＩと従来の方法を採用して得られたＣＱＩ推定値との統計分布を示す図である。
【図３】実際ＣＱＩと本発明の実施例に係る方法を採用して得られたＣＱＩ推定値との統計分布を示す図である。
【図４】１つのＣＱＩ推定値に対応する実際ＣＱＩの累積分布関数曲線である。
【図５】本発明の実施例に係る基地局の内部構成を示す図である。
【発明を実施するための形態】
【００５１】
本発明の実施例では、ＣＱＩ情報を取得する方法が提供されている。該方法の実行プロセスは、図１に示すように、主に以下のステップを含む。
【００５２】
ステップ１０１で、ＭＵ−ＭＩＭＯシステムにおけるＵＥは、チャネル推定を行った後、自局の量子化後のチャネル情報、量子化誤差、セル間干渉（ＩＣＩ：Ｉｎｔｅｒ−Ｃｅｌｌ  Ｉｎｔｅｒｆｅｒｅｎｃｅ）電力および雑音電力を、ＭＵ−ＭＩＭＯシステムにおける基地局にフィードバックする。
【００５３】
ＬＴＥやＬＴＥ−Ａシステムにおいて、ＵＥは、上り制御チャネル（ＰＵＣＣＨ）または上り共有チャネル（ＰＵＳＣＨ）により、上記の量子化後のチャネル情報、量子化誤差、セル間干渉電力および雑音電力などのパラメータを、基地局にフィードバックするようにしてもよい。ここで、前記量子化誤差は、ＵＥが自局の実際チャネル情報および量子化後のチャネル情報によって計算して得られたチャネル量子化誤差角であってよい。
【００５４】
好ましくは、上記の量子化後のチャネル情報が、量子化後のチャネルベクトル（行列）または量子化後のチャネルの特異ベクトル（行列）であってもよい。
【００５５】
ステップ１０２で、基地局は、各ＵＥからフィードバックされた量子化後のチャネル情報、量子化誤差、セル間干渉電力および雑音電力、並びに、各ＵＥの瞬時プリコーディングベクトル（行列）に従って、各ＵＥに対応するＣＱＩをそれぞれ推定して、各ＵＥに対応するＣＱＩ推定値を得る。
【００５６】
実際の応用では、基地局は、異なるプリコーディング方法により、各ＵＥの瞬時プリコーディングベクトル（行列）を得ることができる。例えば、ゼロフォーシング（ＺＦ：Ｚｅｒｏ−Ｆｏｒｃｉｎｇ）プリコーディング方法、または、ブロック対角化（ＢＤ：Ｂｌｏｃｋ  Ｄｉａｇｏｎａｌｉｚａｔｉｏｎ）プリコーディング方法を採用して、各ＵＥの瞬時プリコーディングベクトル（行列）を得る。
【００５７】
上記の実施例により提供された、ＣＱＩを取得する方法では、基地局が、各ＵＥに対応するＣＱＩの推定を完成し、かつ、各ＵＥのＣＱＩを推定する際に、各ＵＥのプリコーディングベクトル（行列）によるマルチユーザ干渉への影響を考慮しているとともに、各ＵＥからフィードバックされたチャネル情報が量子化後のチャネル情報であることで、量子化誤差によるＣＱＩ推定への影響を減少するために、基地局が、各ＵＥのそれぞれに対応するＣＱＩを推定する際に、チャネルの量子化誤差も考慮している。従って、従来の方法と比べて、本発明によって得られたＣＱＩ推定値は、各ＵＥの実際ＣＱＩにさらに近づく。こうすれば、後続の過程では、基地局が、実際ＣＱＩに近づくＣＱＩ推定値を使用して、各ＵＥに対して、精確なＭＣＳを選択することができ、システムのスループットを向上させる。
【００５８】
具体的に、ＵＥからフィードバックされた量子化後のチャネル情報が、量子化後のチャネルベクトル（行列）である場合、本発明の１つの実施例によれば、上記ステップ１０２では、基地局が、下記の数式１によって、ＵＥのＣＱＩを計算する。
【数３２】
2011035912.tif 000034
【００５９】
ここで、
【数３３】
2011035912.tif 000035
【００６０】
は、第
【数３４】
2011035912.tif 000036
【００６１】
個のＵＥに対応するＣＱＩ推定値を代表し、
【数３５】
2011035912.tif 000037
【００６２】
は、第
【数３６】
2011035912.tif 000038
【００６３】
個のＵＥの量子化後のチャネルベクトル（行列）を代表し、
【数３７】
2011035912.tif 000039
【００６４】
は、第
【数３８】
2011035912.tif 000040
【００６５】
個のＵＥのプリコーディングベクトル（行列）を代表し、
【数３９】
2011035912.tif 000041
【００６６】
は、第
【数４０】
2011035912.tif 000042
【００６７】
個のＵＥからフィードバックされたセル間干渉電力を代表し、
【数４１】
2011035912.tif 000043
【００６８】
は、第
【数４２】
2011035912.tif 000044
【００６９】
個のＵＥからフィードバックされた雑音電力を代表し、
【数４３】
2011035912.tif 000045
【００７０】
は、第
【数４４】
2011035912.tif 000046
【００７１】
個のＵＥからフィードバックされたチャネル量子化誤差角を代表し、ＵＥが以下の数式２によって計算して得ることができ、
【数４５】
2011035912.tif 000047
【００７２】
は、ＵＥの総数を代表する。
【数４６】
2011035912.tif 000048
【００７３】
ここで、
【数４７】
2011035912.tif 000049
【００７４】
は、第
【数４８】
2011035912.tif 000050
【００７５】
個のＵＥのチャネルベクトル（行列）を代表し、
【数４９】
2011035912.tif 000051
【００７６】
は、
【数５０】
2011035912.tif 000052
【００７７】
の共役転置である。
【００７８】
ＵＥからフィードバックされた量子化後のチャネル情報が、量子化後のチャネルの特異ベクトル（行列）である場合、本発明のほかの実施例によれば、上記ステップ１０２では、基地局が、下記の数式３によって、ＵＥのＣＱＩを計算する。
【数５１】
2011035912.tif 000053
【００７９】
ここで、
【数５２】
2011035912.tif 000054
【００８０】
は、第
【数５３】
2011035912.tif 000055
【００８１】
個のＵＥに対応するＣＱＩ推定値を代表し、
【数５４】
2011035912.tif 000056
【００８２】
は、第
【数５５】
2011035912.tif 000057
【００８３】
個のＵＥに対応するチャネルベクトル（行列）
【数５６】
2011035912.tif 000058
【００８４】
の量子化後の特異ベクトルであり、
【数５７】
2011035912.tif 000059
【００８５】
は、第
【数５８】
2011035912.tif 000060
【００８６】
個のＵＥに対応する特異値であり、
【数５９】
2011035912.tif 000061
【００８７】
は、第
【数６０】
2011035912.tif 000062
【００８８】
個のＵＥのプリコーディングベクトル（行列）を代表し、
【数６１】
2011035912.tif 000063
【００８９】
は、第
【数６２】
2011035912.tif 000064
【００９０】
個のＵＥからフィードバックされたセル間干渉電力を代表し、
【数６３】
2011035912.tif 000065
【００９１】
は、第
【数６４】
2011035912.tif 000066
【００９２】
個のＵＥからフィードバックされた雑音電力を代表し、
【数６５】
2011035912.tif 000067
【００９３】
は、第
【数６６】
2011035912.tif 000068
【００９４】
個のＵＥからフィードバックされたチャネル量子化誤差角を代表し、ＵＥが以下の数式４によって計算して得ることができ、
【数６７】
2011035912.tif 000069
【００９５】
は、ＵＥの総数を代表する。
【数６８】
2011035912.tif 000070
【００９６】
ここで、
【数６９】
2011035912.tif 000071
【００９７】
は、第
【数７０】
2011035912.tif 000072
【００９８】
個のＵＥに対応するチャネルベクトル（行列）
【数７１】
2011035912.tif 000073
【００９９】
の特異ベクトルを代表し、
【数７２】
2011035912.tif 000074
【０１００】
は、
【数７３】
2011035912.tif 000075
【０１０１】
の共役転置である。
【０１０２】
本発明の実施例において、数式１または数式３によって計算して得られた第
【数７４】
2011035912.tif 000076
【０１０３】
個のＵＥのＣＱＩ推定値は、プリコーディングベクトル（行列）によるマルチユーザ干渉への影響を考慮しているだけでなく、量子化誤差によるＣＱＩへの影響も考慮している。従って、従来の方法と比べて、数式１または数式３によって推定して得られたＣＱＩ推定値は、第
【数７５】
2011035912.tif 000077
【０１０４】
個のＵＥに対応する実際ＣＱＩにさらに近づく。
【０１０５】
図２は、実際ＣＱＩと従来の方法を採用して得られたＣＱＩ推定値との統計分布を示す図である。ここで、横軸は、従来の方法を採用して、推定して得られた１つのＵＥに対応するＣＱＩを代表し、縦軸は、該ＵＥに対応する実際ＣＱＩを代表する。
【０１０６】
図３は、実際ＣＱＩと本発明の実施例に係る方法を採用して得られたＣＱＩ推定値との統計分布を示す図である。ここで、横軸は、本発明の実施例に係る方法を採用して、推定して得られた１つのＵＥに対応するＣＱＩを代表し、縦軸は、該ＵＥに対応する実際ＣＱＩを代表する。
【０１０７】
図２と図３とを比較することから分かるように、本実施例に係る、ＣＱＩ情報を取得する方法を採用する場合は、従来の方法を採用する場合と比べて、基地局で得られた１つのＵＥに対応するＣＱＩが、該ＵＥに対応する実際ＣＱＩにさらに近づく。
【０１０８】
さらに精確なＣＱＩ推定値を得るために、上記のステップ１０２を実行した後、基地局は、さらに、実際ＣＱＩとその対応するＣＱＩ推定値との統計分布に従って、ステップ１０２で得られたＣＱＩ推定値を更新してもよい。具体的に、以下のステップを含む。
【０１０９】
ステップ１０３で、実際チャネル情報に従って、実際ＣＱＩとその対応するＣＱＩ推定値との統計分布を生成する。
【０１１０】
図３は、実際ＣＱＩとその対応するＣＱＩ推定値との統計分布の一例を示す。
【０１１１】
ステップ１０４で、上記の生成した実際ＣＱＩとその対応するＣＱＩ推定値との統計分布に従って、各ＣＱＩ推定値に対応する実際ＣＱＩの累積分布関数（ＣＤＦ：ｃｕｍｕｌａｔｉｖｅ  ｄｉｓｔｒｉｂｕｔｉｏｎ  ｆｕｎｃｔｉｏｎ）をそれぞれ取得する。
【０１１２】
図４は、１つのＣＱＩ推定値に対応する実際ＣＱＩのＣＤＦ曲線を示す図である。図４から分かるように、該ＣＱＩ推定値に対応する実際ＣＱＩがａより小さい確率は０．１であり、ｂより小さい確率は０．２であり、ｃより小さい確率は０．５である。
【０１１３】
ステップ１０５で、各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得る。
【０１１４】
例えば、図４を参照すると、所定の確率値が０．１（即ち１０％）である場合、該ＣＱＩ推定値の更新後のＣＱＩはaであり、所定の確率値が０．２（即ち２０％）である場合、該ＣＱＩ推定値の更新後のＣＱＩはｂであり、所定の確率値が０．５（即ち５０％）である場合、該ＣＱＩ推定値の更新後のＣＱＩはｃである。本発明の実施例において、上記所定の確率値は、統計して得られた、更新後のＣＱＩをその実際ＣＱＩに最も近づかせる値、例えば、０．２（即ち２０％）に設定してもよい。
【０１１５】
ステップ１０６で、上記のＣＱＩ推定値とそのＣＱＩ更新値との対応関係に従って、ステップ１０２で得られたＣＱＩ推定値に対応するＣＱＩ更新値を得る。
【０１１６】
説明すべきものとして、実際の応用では、上記ステップ１０３〜１０５を実行することにより、基地局が、ＣＱＩ推定値とＣＱＩ更新値との対応関係を得ることができる。その後、基地局は、ＣＱＩ推定値とＣＱＩ更新値との対応関係に従って、ＣＱＩ推定値からＣＱＩ更新値への検索テーブルを作成することができ、ＣＱＩ推定値をインデックスとして、各ＣＱＩ推定値に対応するＣＱＩ更新値を検索することができる。つまり、基地局は、実際ＣＱＩとその対応するＣＱＩ推定値との統計分布に従って、ＣＱＩ推定値からＣＱＩ更新値への検索テーブルを予め作成することができる。こうすれば、基地局は、各ＵＥのＣＱＩ推定値を得た後、上記の検索テーブルから、各ＵＥのＣＱＩ推定値に対応するＣＱＩ更新値を直接的に検索することができるが、上記ステップ１０３〜１０５を毎回実行する必要がない。また、基地局は、線形補間法または非線形補間法を採用して、上記検索テーブルから、各ＵＥのＣＱＩ推定値に対応するＣＱＩ更新値を検索することができる。
【０１１７】
上記ステップ１０３〜１０６によって、基地局は、さらに、ＣＱＩの統計分布に従って、推定されたＣＱＩ推定値をそれぞれ更新して、実際ＣＱＩにさらに近づくＣＱＩ更新値を得る。そして、後続の応用では、基地局が、実際ＣＱＩにさらに近づく該ＣＱＩ更新値を使用して、ＵＥスケジューリングを行い、精確なＭＳＣを選択することができる。これにより、システムのスループットを向上させる。
【０１１８】
また、本発明の実施例では、上記方法を実現する基地局が提供されている。その内部構成は、図５に示すように、主に、
全てのＵＥからフィードバックされた量子化後のチャネル情報、量子化誤差、セル間干渉電力および雑音電力を受信するチャネル情報受信手段と、
各ＵＥからフィードバックされた量子化後のチャネル情報、量子化誤差、セル間干渉電力および雑音電力、並びに、瞬時プリコーディングベクトル（行列）に従って、各ＵＥに対応するＣＱＩをそれぞれ推定して、各ＵＥに対応するＣＱＩ推定値を得るＣＱＩ推定手段と、を含む。
【０１１９】
本発明の実施例において、チャネル品質指示推定手段は、上記数式１または数式３によって、各ＵＥに対応するＣＱＩ推定値を計算することができる。
【０１２０】
上記基地局は、実際ＣＱＩとその対応するＣＱＩ推定値との統計分布に従って、ＣＱＩ更新値を得るＣＱＩ更新手段をさらに含んでもよい。
【０１２１】
本発明の１つの実施例によれば、上記ＣＱＩ更新手段は、具体的に、
実際チャネル情報に従って、実際ＣＱＩとその対応するＣＱＩ推定値との統計分布を生成し、各ＣＱＩ推定値に対応する実際ＣＱＩの累積分布関数をそれぞれ得る統計モジュールと、
各ＣＱＩ推定値に対して、該ＣＱＩ推定値に対応する実際ＣＱＩの累積分布関数において、所定の確率値に対応する実際ＣＱＩを選択して、該ＣＱＩ推定値のＣＱＩ更新値とすることにより、各ＣＱＩ推定値とそのＣＱＩ更新値との対応関係を得る設定モジュールと、
設定モジュールで設定された、各ＣＱＩ推定値とそのＣＱＩ更新値との対応関係に従って、ＣＱＩ推定手段から出力されたＣＱＩ推定値に対応するＣＱＩ更新値を得るＣＱＩ更新値決定モジュールと、を含む。
【０１２２】
本発明のほかの実施例によれば、上記ＣＱＩ更新手段は、
実際ＣＱＩとその対応するＣＱＩ推定値との統計分布に従って、ＣＱＩ推定値からＣＱＩ更新値への検索テーブルを作成する検索テーブル作成モジュールと、
前記検索テーブルから、各ＵＥのＣＱＩ推定値に対応するＣＱＩ更新値を検索するＣＱＩ更新値決定モジュールと、を含む。
【０１２３】
ここで、検索テーブル作成モジュールは、上記ステップ１０３〜１０５における方法によって、ＣＱＩ推定値とＣＱＩ更新値との対応関係を確立して、ＣＱＩ推定値とＣＱＩ更新値との対応関係に従って、ＣＱＩ推定値からＣＱＩ更新値への検索テーブルを作成することができる。また、ＣＱＩ更新値決定モジュールは、線形補間法または非線形補間法を採用して、上記検索テーブルから各ＵＥのＣＱＩ推定値に対応するＣＱＩ更新値を検索することができる。
【０１２４】
上記の実施例から分かるように、ＣＱＩ推定手段は、各ＵＥのＣＱＩを推定する際に、量子化誤差によるＣＱＩへの影響を考慮しているだけでなく、プリコーディングベクトル（行列）によるマルチユーザ干渉への影響も考慮している。従って、従来の方法と比べて、ＣＱＩ推定手段で得られたＣＱＩ推定値は、各ＵＥに対応する実際ＣＱＩにさらに近づく。さらに、ＣＱＩ更新手段により、実際ＣＱＩとそのＣＱＩ推定値との統計分布に従って、上記ＣＱＩ推定値を更新して、得られたＣＱＩ更新値は、実際ＣＱＩにさらに近づく。このように、後続の過程では、基地局が、実際ＣＱＩに近づくＣＱＩ推定値を使用して、精確なＭＣＳを選択することができる。
【０１２５】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011035912.tif 000109
【図２】
2011035912.tif 000110
【図３】
2011035912.tif 000111
【図４】
2011035912.tif 000112
【図５】
2011035912.tif 000113